(57)【要約】      （修正有）【課題】建築工事現場に用いられる除塵装置を提供する。【解決手段】基礎支持板１を含み、基礎支持板の頂部に固定ホルダー２が固定的に接続され、固定ホルダーの内部に蓄水タンク３が設けられ、蓄水タンクの頂部に進水口４が開設され、進水口に密閉蓋体５が設けられ、密閉蓋体の中心に止め穴が開設され、蓄水タンクの内部に蛇管が設けられ、蛇管の頂部に止め穴を貫通して接続管路８が設けられ、接続管路の一端に気体パンプ９が固定的に接続される。蛇管を設けることおよび蛇管表面に穴あけをすることで、一つ一つの小さい気泡に分解させ、埃含有空気と浄化水の接触面積を増大する。よって、有効的に該装置の除塵効果が向上される。蓄水タンクの材質は透明のものとする。蓄水タンクの内部に表示帯１５が設けられ、水位を指示する。これにより、水位が常に蛇管の表面通気穴の上方に位置する。【選択図】図１
0003224363.tif 000002
【実用新案登録請求の範囲】
【請求項１】
基礎支持板（１）を含む建築工事現場に用いられる除塵装置であって、前記基礎支持板
（１）の頂部に固定ホルダー（２）が固定的に接続されており、前記固定ホルダー（２）
の内部に蓄水タンク（３）が設けられており、前記蓄水タンク（３）の頂部に進水口（４
）が開設されており、前記進水口（４）に密閉蓋体（５）が設けられており、前記密閉蓋
体（５）の中心に止め穴（６）が開設されており、前記蓄水タンク（３）の内部に蛇管（
７）が設けられており、前記蛇管（７）の頂部に止め穴（６）を貫通して接続管路（８）
が設けられており、前記接続管路（８）の一端に気体パンプ（９）が固定的に接続されて
おり、前記気体パンプ（９）における接続管路（８）と反対側の一端に管路を介して進風
篩分フレーム（１０）が設けられており、前記進風篩分フレーム（１０）を基礎支持板（
１）に固定接続しており、前記蓄水タンク（３）の頂部に排気穴（１１）が開設されてお
り、前記蓄水タンク（３）が排気穴（１１）を介して排気管路（１２）が固定的に接続さ
れていることを特徴とする建築工事現場に用いられる除塵装置。
【請求項２】
前記蛇管（７）の外面に若干の通気穴（１３）が開設され、前記通気穴（１３）を均一
に蛇管（７）の外面に配布していることを特徴とする請求項１に記載の建築工事現場に用
いられる除塵装置。
【請求項３】
前記蓄水タンク（３）の内部に浄化水が備えられており、前記蛇管（７）の外面に開設
した若干の通気穴（１３）はすべて浄化水の水面以下に位置するように設置されているこ
とを特徴とする請求項１に記載の建築工事現場に用いられる除塵装置。
【請求項４】
前記基礎支持板（１）の底部に移動ローラーが設けられており、前記基礎支持板（１）
の底部にプッシュロッドが設けられていることを特徴とする請求項１に記載の建築工事現
場に用いられる除塵装置。
【請求項５】
前記進水口（４）の外面に雄ネジが開設され、前記密閉蓋体（５）の内壁に雌ネジが設
けられ、前記雄ネジと前記雌ネジとが完全緊密的に噛合されるように構成されていること
を特徴とする請求項１に記載の建築工事現場に用いられる除塵装置。
【請求項６】
前記蓄水タンク（３）の底部の一側に排水管路（１４）が設けられており、前記排水管
路（１４）の内部にバルブが設けられていることを特徴とする請求項１に記載の建築工事
現場に用いられる除塵装置。
【請求項７】
前記蓄水タンク（３）の材質は透明プラスチックとし、前記蓄水タンク（３）の内部に
表示帯（１５）が設けられていることを特徴とする請求項１に記載の建築工事現場に用い
られる除塵装置。
【請求項８】
前記進風篩分フレーム（１０）に若干の濾過貫通穴（１６）が開設されていることを特
徴とする請求項１に記載の建築工事現場に用いられる除塵装置。
【考案の詳細な説明】
【技術の分野】
【０００１】
本実用新案は建築除塵の技術分野に関し、具体的に建築工事現場に用いられる除塵装置
に関する。
【従来の技術】
【０００２】
社会経済の発展につれて人々の生活水準は絶えず向上し、現代社会の都市化レベルも絶
えず高まっている。都市は絶えず拡張し、拡大していく。都市の拡張過程では多くの建築
物を建設する必要がある。工事現場で大量のほこりを生じてしまう。ほこりは空気中に漂
っている。建築労働者がこのような作業環境で仕事をすると、大量のほこりを吸い込むよ
うになる。マスクをしていても効果は微々たる。長時間にわたり過量なほこりを吸い込む
と建築労働者の肺部に大きな損傷を与え、健康に大きな害を及ぼす。したがって、ある掃
除手段を工事現場に備える必要がある。その中、水にて空気中のほこりを吸収するのが、
比較的に簡単な手段として、建築現場によく適している。ところが、従来市販される掃除
装置のほとんどは、空気ポンプにより埃を含む空気を太い配管から直接に浄化水に通して
吸収させるものにすぎない。単位時間内における空気と水の接触面積は限られる。水との
接触面積および集塵効率を高めルことが可能な装置が要望されている。  
【考案の概要】
【考案が解決しようとする課題】
【０００３】
上記従来の技術に提出した課題を解決するために、本実用新案は建築工事現場に用いら
れる除塵装置を提出している。本装置は蛇管、蛇管の表面に穴あけをすることや、蓄水タ
ンク内に表示帯を形成することなどで、上記従来の技術に提出した課題を解決する。
【課題を解決するための手段】
【０００４】
上記の目的を達成するために、本実用新案は以下の技術案を提出している。すなわち、
基礎支持板を含む建築工事現場に用いられる除塵装置であって、前記基礎支持板の頂部に
固定ホルダーが固定的に接続されており、前記固定ホルダーの内部に蓄水タンクが設けら
れており、前記蓄水タンクの頂部に進水口が開設されており、前記進水口に密閉蓋体が設
けられており、前記密閉蓋体の中心に止め穴が開設されており、前記蓄水タンクの内部に
蛇管が設けられており、前記蛇管の頂部に止め穴を貫通して接続管路が設けられており、
前記接続管路の一端に気体パンプが固定的に接続されており、前記気体パンプにおける接
続管路と反対側の一端に管路を介して進風篩分フレームが設けられており、前記進風篩分
フレームを基礎支持板に固定接続しており、前記蓄水タンクの頂部に排気穴が開設されて
おり、前記蓄水タンクが排気穴を介して排気管路が固定的に接続されている除塵装置を提
出する。
【０００５】
選択的に、前記蛇管の外面に若干の通気穴が開設され、前記通気穴を均一に蛇管の外面
に配布している。
【０００６】
選択的に、前記蓄水タンクの内部に浄化水が備えられており、前記蛇管の外面に開設し
た若干の通気穴はすべて浄化水の水面以下に位置するように設置されている。
【０００７】
選択的に、前記基礎支持板の底部に移動ローラーが設けられており、前記基礎支持板の
底部にプッシュロッドが設けられている。
【０００８】
選択的に、前記進水口の外面に雄ネジが開設され、前記密閉蓋体の内壁に雌ネジが設け
られ、前記雄ネジと前記雌ネジとが完全緊密的に噛合されるように構成されている。
【０００９】
選択的に、前記蓄水タンクの底部の一側に排水管路が設けられており、前記排水管路の
内部にバルブが設けられている。
【００１０】
選択的に、前記蓄水タンクの材質は透明プラスチックとし、前記蓄水タンクの内部に表
示帯が設けられている。
【００１１】
選択的に、前記進風篩分フレームに若干の濾過貫通穴が開設されている。
【００１２】
本実用新案に提出される建築工事現場に用いられる除塵装置は以下の有益な効果がある
。
１）  該建築工事現場に用いられる除塵装置において、その使用際に、気体パンプを起
動して、蛇管を介して埃含有空気に蓄水タンク内の浄化水に通する。ここで、蛇管および
蛇管の表面に開設した若干の通気穴を設けることにより、埃含有空気を若干の小気泡とし
て浄化水に接触させる。ひとつの球形の気泡は体積が小さいほど表面積が大きいので、埃
含有空気と浄化水の接触面積が大きくなる。そして、通気穴を均一に蛇管の外面に配布し
ている。蛇管の外面が曲面となっているので、埃含有気体が蛇管の表面から周囲に噴出す
ると、噴出した気体が相互に交差衝突する。これにより埃含有気体と浄化水の接触がより
充分になるので、除塵効果がより優れる。
【００１３】
２）  該建築工事現場に用いられる除塵装置において、その使用際に、蓄水タンクの材
質は透明プラスチックとしている。そして、蓄水タンクの内部に表示帯が設けられており
、水位を指示することができる。水位が常に蛇管の表面通気穴の上方に位置するようにさ
せる。これにより、浄化水が少ないくせに通気穴が完全に浄化水の水位下に水没されなく
、気体漏れが発生してしまうことを回避することができる。よって埃含有気体を順調に浄
化水内に通すことを保証し、かつ浄化水の濁る程度をよく観察することが可能である。浄
化水がたっぷり多くのほこりを吸收した後、バルブを開いて、汚染水を排出する。これに
より、大幅に装置の実用性を向上する。
【図面の簡単な説明】
【００１４】
【図１】本実用新案の構成模式図。
【図２】本実用新案における進風篩分フレームの構成模式図。
【図３】本実用新案における蛇管の構成模式図。
【図４】本実用新案における蓄水タンクの構成模式図。
【考案を実施するための形態】
【００１５】
以下、本実用新案の実施例および附図を利用して、本実用新案実施例中における技術案
をさらに明確的に、十分的に説明する。明らかには、記載した実施例は、単に本実用新案
の一部実施例であり、すべての実施例とは理解してはならない。
【００１６】
図１〜４に示すように、本実用新案は以下の技術案を提供する。本実用新案にかかる基
礎支持板１を含む建築工事現場に用いられる除塵装置であって、前記基礎支持板１の頂部
に固定ホルダー２が固定的に接続されており、前記固定ホルダー２の内部に蓄水タンク３
が設けられており、前記蓄水タンク３の頂部に進水口４が開設されており、前記進水口４
に密閉蓋体５が設けられており、前記密閉蓋体５の中心に止め穴６が開設されており、前
記蓄水タンク３の内部に蛇管７が設けられており、前記蛇管７の頂部に止め穴６を貫通し
て接続管路８が設けられており、前記接続管路８の一端に気体パンプ９が固定的に接続さ
れており、前記気体パンプ９における接続管路８と反対側の一端に管路を介して進風篩分
フレーム１０が設けられており、前記進風篩分フレーム１０を基礎支持板１に固定接続し
ている。前記蓄水タンク３の頂部に排気穴１１が開設されており、前記蓄水タンク３が排
気穴１１を介して排気管路１２が固定的に接続されている。前記蛇管７の外面に若干の通
気穴１３が開設され、前記通気穴１３を均一に蛇管７の外面に配布している。前記蓄水タ
ンク３の内部に浄化水が備えられており、すべての通気穴１３は浄化水の水面以下に位置
する。前記基礎支持板１の底部に移動ローラーが設けられており、前記基礎支持板１にプ
ッシュロッドが設けられている。前記蓄水タンク３の底部の一側に排水管路１４が設けら
れており、前記排水管路１４の内部にバルブが設けられている。前記蓄水タンク３の材質
は透明プラスチックとし、前記蓄水タンク３の内部に表示帯１５が設けられている。前記
進風篩分フレーム１０に若干の濾過貫通穴１６が開設されている。接続管路８は多段管路
により組み立てられてなるもので、修理や収納が便利になる。気体パンプ９が電源に接続
される。
【００１７】
本実用新案の動作原理及び使用手順は以下の如くである。本除塵装置は、使用際に、基
礎支持板１上のプッシュロッドを押して、浄化装置を工事現場における除塵必要の任何位
置に移動させる。気体パンプ９を起動して、気体パンプ９により埃含有空気を吸入して、
埃含有空気を進風篩分フレーム１０に開設した若干の濾過貫通穴１６を通して、大きい浮
遊物や不純物を濾過して、接続管路８を塞ぐことを防止する。吸入した埃含有空気は接続
管路８を経て蛇管７内に進入し、かつ蛇管７に開設した通気穴１３から浄化水中に進入す
る。蛇管７および蛇管の表面における通気穴１３を設けることで、吸進される気体を一つ
一つの小さい気泡に分解させる。ひとつの球形の気泡は体積が小さいほど表面積が大きく
なり、そして通気穴が均一に蛇管の外面に配布されており、蛇管７の外面が曲面となって
いるので、埃含有気体が蛇管７の表面から周囲に噴出すると、噴出した気体が相互に交差
衝突し、これにより埃含有気体と浄化水の接触がより充分になり、除塵効果が大幅に向上
される。除塵浄化後の空気が排気穴１１を経て排気管路１２から排出される。
【００１８】
また、蓄水タンク３の材質は透明プラスチックとしている。そして、蓄水タンク３の内
部に表示帯１５が設けられ、水位を指示することができる。水位を常に蛇管表面における
通気穴１３の上方に位置するようにさせている。これにより、浄化水が少なくいくせに通
気穴１３が完全に浄化水の水位下に水没されなく、気体漏れが発生してしまうことを回避
できる。よって埃含有気体を順調に浄化水内に通すことを保証し、かつ浄化水の濁る程度
をよく観察することが可能である。浄化水がたっぷり多くのほこりを吸收した後、排水管
路１４の内部のバルブを開いて、排水管路１４から汚染水を排出する。
【００１９】
前記述べたものは、本考案の実施形態だけであり、前記の具体的な実施形態は、普通技
術者は本考案の原理と精神の範疇内において、各種の変形及び修正、置換、変形を行うこ
とができる。本実用新案の保護範囲は、実用新案登録請求の範囲及びその均等物である。
【符号の説明】
【００２０】
１  基礎支持板
２  固定ホルダー
３  蓄水タンク
４  進水口
５  密閉蓋体
６  止め穴
７  蛇管
８  接続管路
９  気体パンプ
１０  進風篩分フレーム
１１  排気穴
１２  排気管路
１３  通気穴
１４  排水管路
１５  表示帯
１６  濾過貫通穴
【図１】
0003224363.tif 000003
【図２】
0003224363.tif 000004
【図３】
0003224363.tif 000005
【図４】
0003224363.tif 000006